(57)【要約】      （修正有）【課題】外観として違和感を生じさせないようにしつつ、滑り止め材の保持力を所定以上に確保できる階段用段板を提供する。【解決手段】上面側先端角部に収納凹所が形成され、その収納凹所内に滑り止め材１６が収納されている。収納凹所は、上方及び前方の両外方に開口する第１凹所と、第１凹所の内壁の一部から内方に向けて形成される第２凹所と、を有し、滑り止め材１６は、第１凹所内に収納されて上面側先端角部の上面及び前面を構成する本体部１７と、本体部１７から連続的に延びて第２凹所内に収納される一対の脚部１８，１９と、を有している。一方の脚部１８は前方移動規制面２１を有し、他方の脚部１９は上方移動規制面２２を有している。これにより、当該滑り止め材１６を目立たない小さなものにするとしても、外力が滑り止め材１６に作用したとき、滑り止め材と収納凹所内壁との係合関係に基づき、抗するようにする。【選択図】図５
2010168853.tif 000002
【特許請求の範囲】
【請求項１】
上面側先端角部に、上方及び前方の両外方に臨む収納凹所が該上面側先端角部の延び方向に延びるようにして形成され、該収納凹所内に滑り止め材が収納されて、該滑り止め材の露出外面が上面及び先端面の一部として構成されている階段用段板において、
前記収納凹所が、上方及び前方の両外方に開口する第１凹所と、該第１凹所の内壁の一部から内方に向けて形成される第２凹所と、を有し、
前記滑り止め材が、前記第１凹所内に収納されて前記上面側先端角部の上面及び前面を構成する本体部と、該本体部から連続的に延びて前記第２凹所内に収納される変動規制部と、を有し、
前記変動規制部が、前方への移動を規制する前方移動規制面と、上方への移動を規制する上方移動規制面と、を有し、
前記第２凹所の内壁が、前記変動規制部の前方移動規制面が当接する第１内壁面と、該変動規制部の上方移動規制面が当接する第２内壁面と、を有している、
ことを特徴とする階段用段板。
【請求項２】
請求項１において、
前記変動規制部が、間隔をあけて配置される一対の脚部を有し、
前記一対の脚部のうち、一方の脚部が、前記前方移動規制面を構成し、
前記一対の脚部のうち、他方の脚部が、前記上方移動規制面を構成している、
ことを特徴とする階段用段板。
【請求項３】
請求項２において、
前記第１凹所の内壁が、板面が上方に向けられる底壁面と、該底壁面に対して直角に配置されて板面が前方に向けられる縦壁面と、を有し、
前記第２凹所が、前記第１凹所の底壁面及び縦壁面に跨る範囲において形成され、
前記第１内壁面が、前記縦壁面よりも前方側において該縦壁面に平行とされ、
前記第２内壁面が、前記底壁面よりも上方側において該底壁面に平行とされている、
ことを特徴とする階段用段板。
【請求項４】
請求項１〜３のいずれか１項において、
前記滑り止め材が、無色透明に形成され、
前記収納凹所の内壁が、前記上面及び前記先端面と同じ色彩とされている、
ことを特徴とする階段用段板。
【請求項５】
請求項１〜３のいずれか１項において、
前記滑り止め材が、無色透明に形成され、
前記収納凹所の内壁に、前記上面及び前記先端面と異なる色彩であって、注意喚起色が施されている、
ことを特徴とする階段用段板。
【請求項６】
請求項５において、
前記第２凹所内に、注意喚起色が施された帯材が収納され、
前記帯材が、前記滑り止め材と前記第２凹所内壁とで挟持されている、
ことを特徴とする階段用段板。
【請求項７】
請求項５又は６において、
前記注意喚起色が、蓄光剤に起因して発色される、
ことを特徴とする階段用段板。
【請求項８】
請求項１〜７のいずれか１項において、
前記滑り止め材の上面が、前記上面に対して面一とされている、
ことを特徴とする階段用段板。
【請求項９】
請求項１〜８において、
前記滑り止め材と前記収納凹所の内壁とが接着剤を介して接着されている、
ことを特徴とする階段用段板。
【発明の詳細な説明】
【技術分野】
【０００１】
本発明は、階段に用いられる階段用段板に関するものである。
【背景技術】
【０００２】
階段用段板（踏み板）には、特許文献１に示すように、その上面側先端角部（段鼻部）を切り欠いて凹所を形成し、その凹所内面に滑り止め材を接着剤により固着したものがある。この段板を階段に用いれば、滑り止め材が段板の上面及び前面の各一部を構成することになり、階段を下りる際、滑り止め材の上面が滑り止め効果を発揮して階段からの滑落を防止することができ、階段を上がる際、足を段鼻部にぶつけても、滑り止め材のクッション効果により痛みを軽減できる。
【０００３】
ところで、滑り止め材は、木製の段板に比べて十分滑り止め効果を発揮することになっており、また、階段を上がる際、足をぶつけることは、希であるばかりか、仮に足をぶつけるとしても、そのぶつける個所の多くは、段板の段鼻部（角部）という限られた個所である。このため、滑り止め材を、段板の上面及び前面の各一部として、わずかな前後幅、上下幅をもって段板の幅方向に延びるように配置できれば、上記機能を発揮できると共に、質感の違いから外観として違和感を生じさせることを抑制できる。
【特許文献１】実公平３−３９５４５号公報
【発明の概要】
【発明が解決しようとする課題】
【０００４】
しかし、滑り止め材は、段板の上面側先端角部において、略直角形状の凹所内面に接着されることにより、段板の上面及び前面の各一部として外部に露出することになっており、外力として、滑り止め材に対して摺動力が作用したときには、その外力に抗するものは、基本的に接着剤による接着力だけとなり、段板に対する滑り止め材の保持力を所定以上に確保するためには、滑り止め材と凹所内面との接着面積を大きくして接着力を高める必要がある。このため、滑り止め材は、大きく目立つ存在となり、質感の違いから外観として違和感を生じさせている。
【０００５】
本発明は以上のような事情を勘案してなされたもので、その技術的課題は、外観として違和感を生じさせないようにしつつ、滑り止め材の保持力を所定以上に確保できる階段用段板を提供することにある。
【課題を解決するための手段】
【０００６】
前記技術的課題を達成するために本発明（請求項１に係る発明）にあっては、
上面側先端角部に、上方及び前方の両外方に臨む収納凹所が該上面側先端角部の延び方向に延びるようにして形成され、該収納凹所内に滑り止め材が収納されて、該滑り止め材の露出外面が上面及び先端面の一部として構成されている階段用段板において、
前記収納凹所が、上方及び前方の両外方に開口する第１凹所と、該第１凹所の内壁の一部から内方に向けて形成される第２凹所と、を有し、
前記滑り止め材が、前記第１凹所内に収納されて前記上面側先端角部の上面及び前面を構成する本体部と、該本体部から連続的に延びて前記第２凹所内に収納される変動規制部と、を有し、
前記変動規制部が、前方への移動を規制する前方移動規制面と、上方への移動を規制する上方移動規制面と、を有し、
前記第２凹所の内壁が、前記変動規制部の前方移動規制面が当接する第１内壁面と、該変動規制部の上方移動規制面が当接する第２内壁面と、を有している構成としてある。この請求項１の好ましい態様は、請求項２以下の記載の通りである。
【発明の効果】
【０００７】
請求項１に係る発明によれば、当該段板を階段に用いれば、階段を下りるとき等において、滑り止め材（本体部）の上面に外力として摺動力（足に基づく力）を前方に向けて作用させたときには、第２凹所内壁の第１内壁面が変動規制部の前方移動規制面の移動を規制して滑り止め材の前方移動を規制する。またこの際、滑り止め材が軟質性を有していること、滑り止め材（本体部）が第１凹所内壁の下側部分（底壁面）に当接されてその下方への移動が規制されていることに基づき、滑り止め材（本体部）の上側部分が前側下方に向けて回動（移動）しようとするが（第１凹所の縦壁面から離れようとするが）、滑り止め材における変動規制部の上方移動規制面が第２凹所内壁の第２内壁面に当接していることから、その回動は規制される。一方、階段を上がるとき等において、滑り止め材（本体部）の先端面に外力として摺動力を上方に向けて作用させたときには、第２凹所内壁の第２内壁面が変動規制部の上方移動規制面を規制して滑り止め材の上方移動を規制する。またこの際、滑り止め材が軟質性を有していること、滑り止め材（本体部）が第１凹所内壁の上側部分（縦壁面）に当接されてその後方への移動が規制されていることに基づき、滑り止め材（本体部）の先端面部分が後側後方に向けて回動（移動）しようとするが（第１凹所の底壁面から離れようとするが）、滑り止め材における変動規制部の前方移動規制面が第２凹所内壁の第１内壁面に当接していることから、その回動は規制される。
このため、滑り止め材を、段板の上面及び先端面の各一部として、わずかな前後幅をもって段板の幅方向に延びるように配置するとしても（目立たないように少ない面積をもって配置しても）、滑り止め材に外力として摺動力が作用するときに、滑り止め材（変動規制部）と第２凹所内壁との間で係合力を生じさせて、滑り止め材を大きな保持力をもって保持できる。この結果、外観として違和感を生じさせないようにしつつ、滑り止め材の保持力を所定以上に確保できる階段用段板を提供できる。
【０００８】
請求項２に係る発明によれば、変動規制部が、間隔をあけて配置される一対の脚部を有し、一対の脚部のうち、一方の脚部が、前方移動規制面を構成し、一対の脚部のうち、他方の脚部が、上方移動規制面を構成していることから、請求項１と同様の作用効果を具体的構成をもって生じるだけでなく、一対の脚部間に形成される空間に基づき、その一対の脚部を拡縮させて滑り止め材を収納凹所内に容易にセットすることができ、さらには、滑り止め材に外力（例えば後方転倒時における頭部からの外力）が作用しても、その外力に対して、一対の脚部間の空間を利用して、クッション性を的確に発揮させることができる。
【０００９】
請求項３に係る発明によれば、第１凹所の内壁が、板面が上方に向けられる底壁面と、該底壁面に対して直角に配置されて板面が前方に向けられる縦壁面と、を有し、第２凹所が、第１凹所の底壁面及び縦壁面に跨る範囲において形成され、第１内壁面が、縦壁面よりも前方側において該縦壁面に平行とされ、第２内壁面が、底壁面よりも上方側において該底壁面に平行とされていることから、前記請求項２と同等の作用効果を具体的構成をもって実現できる。
【００１０】
請求項４に係る発明によれば、滑り止め材が、無色透明に形成され、収納凹所の内壁が、上面及び先端面と同じ色彩とされていることから、滑り止め材が存在する個所においても、その滑り止め材の無色透明である性質を利用して、上面及び前面と同じ色彩を外部に表すことができ、質感の違いから外観として違和感を生じさせることを、一層抑制することができる。
しかも、無色透明の一種類の滑り止め材があれば、種々の色彩の段板に対しても、その色彩と同じ色彩を滑り止め材を介して外部に現わすことができ、種々の色彩の段板に対して、その各色彩に対応した複数種類の滑り止め材を用意する必要性をなくすことができる。
【００１１】
請求項５に係る発明によれば、滑り止め材が、無色透明に形成され、収納凹所の内壁に、上面及び先端面と異なる色彩であって、注意喚起色が施されていることから、収納凹所内壁が滑り止め材により保護されることになり、注意喚起色の状態を長期に亘って維持できる。
【００１２】
請求項６に係る発明によれば、第２凹所内に、注意喚起色が施された帯材が収納され、帯材が、滑り止め材と第２凹所内壁とで挟持されていることから、注意喚起色が施された帯材を、新たなもの、色彩が異なるもの等に、適宜、簡単に取り替えることができる。
【００１３】
請求項７に係る発明によれば、注意喚起色が、蓄光剤に起因して発色されることから、光エネルギを吸収する一方、夜間に発光して、注意を喚起できるだけでなく、その蓄光剤を滑り止め材により保護して、蓄光剤の作用、性能を長期に亘って維持できる。
【００１４】
請求項８に係る発明によれば、滑り止め材の上面が、上面に対して面一とされていることから、外観を良好にできると共に、耐久性、使用感を向上させることができる。
【００１５】
請求項９に係る発明によれば、滑り止め材と収納凹所の内壁とが接着剤を介して接着されていることから、滑り止め材（変動規制部）と第２凹所内壁との間の係合力に加えて、その間に接着力も存在することになり、目立たないように少ない面積をもって滑り止め材を取付けるとしても、極めて大きな保持力をもって滑り止め材を保持できる。
【図面の簡単な説明】
【００１６】
【図１】第１実施形態に係る階段を示す一部断面斜視図。
【図２】第１実施形態に係る階段を示す縦断面図。
【図３】第１実施形態に係る段板の構造を説明する説明図。
【図４】第１実施形態に係る段板における収納凹所の構造を説明する説明図。
【図５】階段を下りるときにおける第１実施形態に係る滑り止め材の作用を説明する説明図。
【図６】階段を上がるときにおける第１実施形態に係る滑り止め材の作用を説明する説明図。
【図７】第２実施形態に係る階段を説明する要部拡大説明図。
【図８】第３実施形態を説明する説明図。
【発明を実施するための形態】
【００１７】
図１、図２において、符号１は第１実施形態に係る木質製階段であり、階段１は、段板（踏み板）２と、合板蹴込み板３ａ及び化粧蹴込み板３ｂからなる蹴込み板３とをそれぞれ複数備えている。各段板２は、その板面を上下方向に向けつつ、前側から背後側に向うに従って段々と高い配置をとることになっており、各蹴込み板３は、上下に隣り合う各段板２間の高さを決めるべく、上側段板２の先端部と下側段板２の後端部との間で起立した状態で介在されている。
【００１８】
前記各段板２は、図１、図２に示すように、本実施形態においては、合板段板４と、その合板段板４上面に配置される化粧段板５（本発明の実質上の段板２）とからなる積層構造とされている。合板段板４としては、比較的厚みのある板材（例えば３０ｍｍ前後）が用いられており、その合板段板４は、下地材として、蹴込み板３と共に、階段状に組付けられることになっている。化粧段板５は、木質製であることに基づき、その全体が木質の模様、色彩を有しており、この化粧段板５は、施工の際、階段状に組付けられた合板段板４の上面に接着剤を用いて接着される。この化粧段板５は、その先端部において、下方に直角に折曲された折曲部６を有しており、その折曲部６内面は、蹴込み板３（化粧蹴込み板３ｂ）外面に当接されている。
【００１９】
前記化粧段板５の上面側先端角部７には、図３，図４に示すように、収納凹所８が形成されている。この収納凹所８は、段板２の幅方向Ｘ全長に亘って延びており、その断面形状は、段板２の幅方向全長に亘って一定形状とされている。収納凹所８は、第１凹所９と、その第１凹所９の内壁の一部から内方に向けて形成される第２凹所１０と、を有している。第１凹所９は、段板２の上面側先端角部７を切り欠くことにより形成されている。この第１凹所９は、その内壁が、板面が上方に向けられる底壁面１１と、該底壁面１１に対して直角に配置されて板面が前方に向けられる縦壁面１２と、を有しており、その底壁面１１及び縦壁面１２により、第１凹所９は、その内部が上方及び前方の両外方を臨むように区画されている。第２凹所１０は、第１凹所９の内壁のうち、底壁面１１の内方側部分から縦壁面１２の下側部分にかけての範囲を内方に切り欠くことにより形成されており、この第２凹所１０は、第１内壁面１３と、第２内壁面１４と、第３内壁面１５とにより区画されている。第１内壁面１３は、第１凹所９の縦壁面１２よりも前方側において、その縦壁面１２に平行に配置されており、第２内壁面１４は、第１凹所９の底壁面１１よりも上方側において、その底壁面１１に平行に配置されている。第３内壁面１５は、第１内壁面１３及び第２内壁面１４の奥端同士間を結合しており、その第３内壁１５は、第１，第２凹所９，１０を介して外部に臨むことになっている。この第１，第２凹所９，１０の各内壁面は、段板２の上面及び先端面における木目模様、色彩と同じものとなっている。
【００２０】
前記収納凹所８内には、図１〜図３、図５，図６に示すように、長尺な滑り止め材１６が収納されている。滑り止め材１６は、本体部１７と、その本体部１７から連続的に延びる変動規制部としての一対の脚部１８，１９とを有している。この本体部１７と一対の脚部１８，１９とは、材料として合成樹脂を用いて一体的に成形されており、その材料としての合成樹脂は、滑り止め、軟質性等の機能の他に、滑り止め材１６を無色透明にする観点から選択されている。その合成樹脂としては、例えば、塩化ビニール等が用いられる。
【００２１】
前記本体部１７は、図５，図６に示すように、長尺な略四角形状とされて第１凹所９内に収納されている。本体部１７の前側下面１７ａは第１凹所９の底壁面１１に当接され、本体部１７の上側背面１７ｂは第１凹所９の縦壁面１２に当接されている。その一方、本体部１７の上面１７ｃ及び先端面１７ｄは、外部に露出しており、本体部１７の上面１７ｃは、段板２の上面２ａの一部として該段板２の上面２ａに対して面一に構成され、本体部１７の先端面１７ｄは、段板２の先端面２ｂの一部として該段板２の先端面２ｂに対して面一に構成されている。本実施形態においては、滑り止め機能を確保することを前提とした上で、質感の違いから外観として違和感を生じさせることを抑制するために、本体部１７における上面１７ｃの前後幅、先端面１７ｄの上下幅がそれぞれ８ｍｍ前後の短い幅とされている。
【００２２】
前記一対の脚部１８，１９は、図５，図６に示すように、二股状にされて第２凹所１０内に収納されている。この一対の脚部１８，１９は、本体部１７における上面１７ｃと先端面１７ｄとがなす角部に対向する側に設けられており、両脚部１８，１９は略直角な角度を形成し、その両脚部１８，１９間に空間２０を形成している。一方の脚部１８は、板状とされて、本体部１７の下面からその本体部１７の全長に亘って略垂直に下方に向かって突出されており、その外面は前方を向く前方移動規制面２１を構成し、その前方移動規制面２１は第１内壁面１３に当接されている。他方の脚部１９は、板状とされて、本体部１７の背面からその本体部１７の全長に亘って略垂直に内部側方に向かって突出されており、その外面は上方を向く上方移動規制面２２を構成し、その上方移動規制面２２は第２内壁面１４に当接されている。また、両脚部１８，１９の先端面は、第２凹所１０の第３内壁面１５に当接されており、両脚部１８，１９間の空間２０は、その両脚部１８，１９及び第３内壁面１５により閉じられた状態に区画されている。
【００２３】
このような長尺な滑り止め材１６を化粧段板５に取付けるに際しては、一つの取付け方法として、滑り止め材１６の軟質性が利用される。すなわち、滑り止め材１６の一対の脚部１８，１９の間隔を狭め、その一対の脚部１８，１９側を第１凹所９を経て第２凹所１０内に入れ込み、前方移動規制面２１と第１内壁面１３とが当接するようにすると共に、上方移動規制面２２と第２内壁面１４とが当接するようにすることが行われる。また、別の取付け方法としては、化粧段板５の側方における収納凹所８開口から滑り止め材１６を嵌合し、所定の状態になるまで、滑り止め材１６を収納凹所８内壁に対してスライドさせることが行われる。特に後者に係る取付け方法は、化粧段板５に滑り止め材１６を組み込んだものを工場で生産する場合に適している。
この場合、保持強度を高める観点から、収納凹所８内壁と滑り止め材１６とを、接着剤を併用して接合することが好ましい。その際、接着剤の塗布は、美的観点からは、収納凹所８内壁の目立たない部分に対して行うのがよいが、ゴミの進入防止等の観点からは、少なくとも、本体部１７の上側背面１７ｂと縦壁面１２、本体部１７の前側下面１７ａと底壁面１１とを接着することが望ましい。
【００２４】
したがって、このような化粧段板５を用いた本実施形態に係る階段１においては、本体部１７における上面１７ｃ（露出外面）の前後幅及び先端面１７ｄ（露出外面）の上下幅が短いものとされていることから、質感の違いから外観として違和感を生じさせることを抑制できる。しかも本実施形態においては、滑り止め材１６を無色透明にして、収納凹所８内壁の色彩模様を外部に現れることとすることにより、段板２上面１７ｃ及び前面が、滑り止め材１６の部分を含め全体として、同じ色彩模様として外部に現れるようにしていることから、その質感の違いから外観として違和感を生じさせることを、一層抑制できる。
【００２５】
その一方で、上記のように、本体部１７における上面１７ｃ（露出外面）の前後幅及び先端面１７ｄ（露出外面）の上下幅が短いものとされていても、接着剤の他に、一対の脚部１８，１９と収納凹所８における第２凹所１０内壁とが係合され、化粧段板５に対する滑り止め材１６の保持力が十分に確保されている。それを具体的に説明すれば、下記の通りである。
【００２６】
階段１を下りるに際しては、本体部１７の上面１７ｃを足が踏むことにより、図５に示すように、足から滑り止め材１６の本体部１７の上面１７ｃに前方に向けた摺動力Ｐ１が付与されることになる。これに伴い、本体部１７の上面１７ｃが、その性質に基づき、滑り止め効果を発揮することになり、階段１からの滑落が防止される。このとき、足から付与された前方への摺動力Ｐ１に基づき、滑り止め材１６が前方に向けて移動しようとする力Ｐ２が働くが、その前方移動力Ｐ２は、第２凹所１０内壁の第１内壁面１３と一方の脚部１８の前方移動規制面２１との当接関係により規制される。またこのとき、この前方移動力Ｐ２の規制、滑り止め材１６が軟質性を有していること、滑り止め材１６の本体部１７が第１凹所９内壁の底壁面１１に当接されてその下方への移動が規制されていることに基づき、本体部１７の上側部分が、図５の矢印に示すように、前側下方に向けた回動力Ｐ３（移動力）が発生して、その本体部１７の上側背面１７ｂを第１凹所９の縦壁面１２から離れさせようとするが、滑り止め材１６における他方の脚部１９の上方移動規制面２２と第２凹所１０の第２内壁面１４との当接関係により、その回動力Ｐ３は規制される。
【００２７】
階段１を上がるに際しては、図６に示すように、足から滑り止め材１６の本体部１７の先端面１７ｄに上方に向けた摺動力Ｑ１（例えば、足が上面１７ｃ側先端角部７（段鼻部）に引っ掛かった際の外力）が付与されることがある。このとき、その摺動力Ｑ１に基づき本体部１７を上方に移動させようとする力Ｑ２が発生するが、その上方移動力Ｑ２は、第２凹所１０の第２内壁面１４と他方の脚部１９の上方移動規制面２２との当接関係により、規制される。またこのとき、この上方移動の規制、滑り止め材１６が軟質性を有していること、滑り止め材１６の本体部１７と第１凹所９の縦壁面１２との当接によりその後方への移動が規制されていることに基づき、本体部１７の上側先端面１７ｄ部分において、図６に示すように、後側上方に向けた回動力Ｑ３（移動力）が発生して、本体部１７の前側下面１７ａ部分が第１凹所９の底壁面１１から離れようとするが、その回動力は、滑り止め材１６における一方脚部の前方移動規制面２１と第２凹所１０内壁の第１内壁面１３との当接関係に基づき、規制される。
【００２８】
このため、滑り止め材１６を、化粧段板５の上面１７ｃ及び先端面１７ｄの各一部として、わずかな前後幅及び上下幅をもって段板２の幅方向に延びるように配置するとしても（目立たないように少ない面積をもって配置しても）、滑り止め材１６に外力として摺動力Ｐ１，Ｑ１が作用するときに、滑り止め材１６（一対の脚部１８，１９）と第２凹所１０内壁との間で係合関係を生じさせて、滑り止め材１６を大きな保持力をもって保持できる。この結果、外観として違和感を生じさせないようにしつつ、滑り止め材１６の保持力を所定以上に確保できる化粧段板５を提供できる。
【００２９】
また本実施形態においては、変動規制部として一対の脚部１８，１９を用いられ、その一対の脚部１８，１９間に空間２０が確保されていることから、外力、特に斜め上方からの外力に対してクッション効果を発揮する。このため、階段１を下りるに際して、後方に転倒し、頭を化粧段板５の上面１７ｃ側前端角部に打つことがあっても、滑り止め材１６のクッション効果により、そのときの衝撃を緩和できる。
【００３０】
図７は第２実施形態、図８は第３実施形態を示す。この各実施形態において、前記第１実施形態と同一構成要素については同一符号を付してその説明を省略する。
【００３１】
図７に示す第２実施形態においては、滑り止め材１６における本体部１７の上面１７ｃに複数の突条２３が形成されている。この複数の突条２３は、滑り止め効果を高める観点から設けられており、その複数の突条２３を含む本体部１７の上面１７ｃは、前記第１実施形態同様、外観、耐久性、使用感等の観点から、化粧段板５の上面１７ｃと略面一とされている。
【００３２】
図８に示す第３実施形態においては、階段１を上り下りする者に注意を喚起すべく、注意喚起色が施された帯材２４、例えば着色テープ等が無色透明の滑り止め材１６と収納凹所８内壁との間に介在されているものが示されている（図８においては、理解を容易にするため、厚みが誇張表示されている）。注意喚起色が施された帯材２４を用いているのは、注意喚起色を所望のものに簡単に変えられること、作業の迅速性（塗料の乾燥時間が不要）等を図ることができるからである。勿論、帯材２４に代えて、収納凹所８内壁に対して塗料を塗布することにより注意喚起色を施すようにしてもよい。この場合、特に階段１を下りるときに視認できるようにすべく、少なくとも、第１凹所９の底壁面１１と滑り止め材１６における本体部１７の前側下面１７ａとの間に介在させることが望ましい。また、注意喚起色としては、使用者の注意を惹く塗料、帯材２４による色彩そのものの他に、昼間の光エネルギを吸収して夜間に発色する畜光剤に起因するものであってもよい。このような帯材２４は、滑り止め材１６により保護されるため、長期に亘って注意喚起効果を発揮することになる。
【００３３】
以上実施形態について説明したが本発明にあっては、次の態様を包含する。
（１）段板２は、化粧段板５と合板段板４とからなる２枚の板材の積層構造のものに限らず、一枚ものとしてもよいこと。
（２）一対の脚部１８，１９に変えて、一体物（空間がないもの）の変動規制部を用いること。
（３）接着剤を用いず、一対の脚部１８，１９と収納凹所８における第２凹所１０内壁との係合関係だけにより、滑り止め材１６の保持力を確保すること。
【００３４】
尚、本発明の目的は、明記されたものに限らず、実質的に好ましい或いは利点として記載されたものに対応したものを提供することをも含むものである。
【符号の説明】
【００３５】
１：階段
２：段板
２ａ：段板の上面
２ｂ：段板の先端面
５：化粧段板（段板）
７：上面側先端角部
８：収納凹所
９：第１凹所
１０：第２凹所
１１：第１凹所の底壁面
１２：第１凹所の縦壁面
１３：第１内壁面
１４：第２内壁面
１６：滑り止め材
１７：本体部
１８：一方の脚部（変動規制部）
１９：他方の脚部（変動規制部）
２１：前方移動規制面
２２：上方移動規制面
２４：帯材
【図１】
2010168853.tif 000003
【図２】
2010168853.tif 000004
【図３】
2010168853.tif 000005
【図４】
2010168853.tif 000006
【図５】
2010168853.tif 000007
【図６】
2010168853.tif 000008
【図７】
2010168853.tif 000009
【図８】
2010168853.tif 000010